(57)【要約】【課題】稜部に段差を有する大型箱状の商品について、その稜部を好適に保護しつつ、プラスチックバンド等による緊縛状態を経時的に維持することのできる保護パッドを提供する。【解決手段】保護パッド１は、３枚の段ボールを重ねて成る矩形状の第１面パッド５１と、前記第１面パッドから垂直に延設される、２枚の段ボールを重ねて成る矩形状の第２面パッド５２とを有する。第１面パッド５１と第２面パッド５２により形成された稜部には開口２６が設けられている。開口２６において、第１面パッド及び第２面パッドとも、内側の段ボールが商品の段差の端に沿うとともに、それよりも外側の段ボールは該段差よりも引けているように形成されている。開口の第１面パッド５１側端面のいずれか１枚の段ボールから開口２６側にフラップ４２が設けられている。稜部に当接する箇所が１枚の段ボールのみであるため、プラスチックバンド等による緊縛が緩むことがない。【選択図】図１
0003172743.tif 000002
【実用新案登録請求の範囲】
【請求項１】
稜部に段差を有する箱状の商品の該稜部を保護するための段ボール製の保護パッドであって、
複数枚の段ボールを重ねて成る矩形状の第１面パッドと、前記第１面パッドから垂直に延設される、複数枚の段ボールを重ねて成る矩形状の第２面パッドとから成る、断面Ｌ字形のパッド本体と、
前記第１面パッドと前記第２面パッドにより形成された稜部に設けられた開口であって、第１面パッド及び第２面パッドとも、内側の段ボールが前記商品の段差の端に沿うとともに、それよりも外側の段ボールは該段差よりも引けているように形成された開口と、
前記開口の第１面パッド側端面のいずれか１枚の段ボールから前記開口側に延設されたフラップと、
を有することを特徴とする保護パッド。
【請求項２】
前記第２面パッドが、前記商品の脚に対応して設けられた、前記脚が挿入される切欠を有することを特徴とする、請求項１に記載の保護パッド。
【考案の詳細な説明】
【技術分野】
【０００１】
本考案は、大型箱状の商品をプラスチックバンド等で緊縛する際に稜部を保護するための保護パッドに関する。
【背景技術】
【０００２】
冷蔵庫や洋箪笥等の大型の箱状の商品を工場から出荷してユーザーの元に届ける際には、本体全部を段ボール箱に入れるのではなく、各面や稜部に段ボール製のパッドを当ててプラスチックバンド等で緊縛するという方法が広く行われている。例えば特許文献１には、矩形の底板と、該底板の後端から垂直方向に立設される背板と、底板の両端上面に設けられるＬ字パッドを含む保護パッドが示されている。このような保護パッドを商品の稜部に、そして段ボール等の平板を各面に、それぞれ当て、それらの上をプラスチックバンド等で縛ることにより商品を保護する。
【先行技術文献】
【特許文献】
【０００３】
【特許文献１】特開平9-165072号公報
【考案の概要】
【考案が解決しようとする課題】
【０００４】
しかしながら、商品の形状によっては、このような従来の保護パッドを適切に用いることができない場合がある。例えば、図６に示す冷蔵庫１００は、本体１０１の前面に上扉１０２ａ及び下扉１０２ｂを有するが、上扉１０２ａの上端が本体１０１の上面より下に位置するとともに、下扉１０２ｂの下端が本体１０１の底面よりも上に位置し、これら上下の稜部には段差Ｄが存在している。この段差Ｄの上に従来の保護パッドを当ててプラスチックバンド等で縛ると、プラスチックバンド等は当初は緊張しているが、搬送途中等に徐々に保護パッドの稜部に食い込んでゆき、商品全体の緊縛が緩んでしまうという問題があった。
【０００５】
なお、このような問題は上述した冷蔵庫だけでなく、電子レンジ、食器棚、洋箪笥、ショーケース等、前面に扉が設けられている等のために稜部に段差を有する大型箱状の商品について一般的に生じるものである。
【０００６】
本考案は上記課題を解決するために成されたものであり、その目的とするところは、稜部に段差を有する大型箱状の商品について、その稜部に保護パッドを当ててプラスチックバンド等で緊縛する場合に、経時的に緩むことなく、緊縛状態を維持することができる保護パッドを提供することにある。
【課題を解決するための手段】
【０００７】
上記課題を解決するために成された本考案に係る保護パッドは、稜部に段差を有する箱状の商品の該稜部を保護するための段ボール製の保護パッドであって、
複数枚の段ボールを重ねて成る矩形状の第１面パッドと、前記第１面パッドから垂直に延設される、複数枚の段ボールを重ねて成る矩形状の第２面パッドとから成る、断面Ｌ字形のパッド本体と、
前記第１面パッドと前記第２面パッドにより形成された稜部に設けられた開口であって、第１面パッド及び第２面パッドとも、内側の段ボールが前記商品の段差の端に沿うとともに、それよりも外側の段ボールは該段差よりも引けているように形成された開口と、
前記開口の第１面パッド側端面のいずれか１枚の段ボールから前記開口側に延設されたフラップと、
を有することを特徴とする。
【０００８】
ここでいう「内側」とは、本考案に係る保護パッドを商品の稜部について用いた際に商品に当接する側、即ち断面Ｌ字の内側を指す。
【０００９】
本考案に係る保護パッドは、稜部に段差を有する箱状の商品において、その稜部を保護するためのものである。対象とする商品の一例として、電子レンジ、食器棚、洋箪笥、ショーケース等、前面に扉が設けられている等のために稜部に段差を有する大型箱状の商品を挙げることができるが、扉以外の部材によって稜部が段差を有する場合や、上に列挙したもの以外の大型の箱状商品も対象となる。
【００１０】
本考案に係る保護パッドは、複数枚の段ボールを重ねて成る矩形状の第１面パッドと、第１面パッドから垂直に延設される、複数枚の段ボールを重ねて成る第２面パッドから成る断面Ｌ字形のパッド本体の稜部に、フラップを有する開口を設けたものである。フラップは第１面パッド側端面のいずれか１枚の段ボールから開口に向けて延設されている。
本考案に係る保護パッドを用いるには、まず、保護パッドのパッド本体の内側を段差を有する商品の稜部に当てる。このとき、フラップを有する第１面パッドを、商品において特に保護したい面（例えば化粧板を有する面）に当接するようにする。そして、フラップを内側に押し込みつつ、その上からプラスチックバンド等で縛ることにより、保護パッドを商品の稜部に固定する。こうすれば、商品において特に保護したい面にプラスチックバンド等が直接触れることがない。
【００１１】
本考案に係る保護パッドの本体稜部に設けられた開口では、第１面パッド・第２面パッドとも、内側の段ボールが前記商品の段差の端に沿うとともに、それよりも外側の段ボールは該段差よりも引けているように形成されている。従って、開口の上からプラスチックバンド等で縛ると、プラスチックバンド等は該段差をほぼ最短距離で横切るとともに、商品の段差とプラスチックバンド等の間には１枚の段ボールしかない状態となる。このため、プラスチックバンド等が保護パッドにこれ以上食い込むことがなく、プラスチックバンド等による商品の緊縛が経時的に維持される。
【考案の効果】
【００１２】
本考案に係る保護パッドでは、プラスチックバンド等が最初に縛ったとき以上に保護パッドの稜部に食い込むことがないため、プラスチックバンド等の緊縛を、最初に縛ったときと同じ強さのまま維持することができる。従って、搬送作業等の間中、対象とする商品を好適に保護することができる。
【図面の簡単な説明】
【００１３】
【図１】本考案の一実施例に係る保護パッドの全体斜視図。
【図２】図１の保護パッドのII−II線断面図。
【図３】図１の保護パッドのIII−III線断面図。
【図４】図１の保護パッドの展開図。
【図５】図４の展開図において第１側面を折り込んで片部を形成した状態を示す図。
【図６】稜部に段差を有する冷蔵庫の一例を示す全体側面図。
【図７】本実施例に係る保護パッドを冷蔵庫に取り付けた状態を示す縦断面図。
【図８】本実施例に係る保護パッドを冷蔵庫に取り付け、さらにプラスチックバンドで縛った状態を示す縦断面図。
【図９】本考案の変形例に係る保護パッドの全体斜視図。
【図１０】図９の保護パッドの展開図。
【考案を実施するための形態】
【００１４】
本考案の一実施例に係る保護パッドの作製方法及び構成について、図１〜図１０を参照しながら以下に説明する
【００１５】
本実施例に係る保護パッド１は、図６に示される冷蔵庫１００を対象としたものである。冷蔵庫１００は、本体１０１の前面に上扉１０２ａ及び下扉１０２ｂを有するととともに、上扉１０２ａの上端は本体１０１の天面よりも下に位置し、また下扉１０２ｂの下端は本体１０１の底面よりも上に位置している。
【００１６】
本実施例に係る保護パッド１は図４に示すように、１枚の略矩形の段ボール５０を折り、組み立てることにより作製される。段ボール５０は、略矩形の第１〜第５側面１１〜１５が、それぞれ第１〜第４谷折り線３１〜３４を介して互いに平行に延設された形状を有する。第１〜第４谷折り線３１〜３４のうち、第３谷折り線３３は１本の折り線、第３谷折り線３３以外は２本の平行な折り線により構成されている。いずれの折り線も谷折りである。
以下の説明では、第１〜第４谷折り線３１〜３４に平行な方向を「横」、垂直な方向を「縦」、第１側面１１側を「上」、第５側面１５側を「下」と表現する。
【００１７】
第１側面１１の上端には、所定の幅及び間隔で矩形の切り抜き２８が設けられている。第１折り線３１上には、両横が凸状に窪んだ同一形状の切り抜き２１ａ及び２１ｂが前記切り抜き２８と同じ幅及び間隔で設けられている。第２折り線３２上には、前記切り抜き２１ａ及び２１ｂと互い違いになるように、第２折り線３２の２本の谷折り線に挟まれたＨ字状の切り込み２２が設けられている。第３折り線３３上には、前記切り込み２２と横方向に同じ位置及び幅で、矩形の切り抜き２３が下方向に設けられている。また、第３折り線３３上には、２個の切り抜き２３に挟まれた位置において該２個の切り抜き２３を連結するように、該切り抜き２３より大きな縦幅を有する切り抜き２６が、第３折り線３３から下方向に設けられている。さらに、切り抜き２６の対向する縦辺から上方向に切り込み２７が２本ずつ設けられている。第４折り線３４上には、第２折り線３２上の切り込み２２と横方向に同じ位置及び幅で、第４折り線３４の２本の谷折り線に挟まれたＨ字状の切り込み２４が設けられている。第５側面１５の下端には、前記切り込み２４と横方向に同じ位置に、矩形の切り抜き２９が設けられている。
【００１８】
なお、上述した段ボール５０において、切り抜き２６の対向する縦辺から上方向に設けられた２本の切り込み２７に挟まれた部分が後述するフラップ４２となる。
【００１９】
この段ボール５０の組立て方法は以下の通りである。まず、第１折り線３１を谷折りし、２個の切り抜き２８によって挟まれた部分を第２折り線３２上の切り込み２２に差し込んで、第１側面１１を第２側面１２に重ね合わせる。すると、図５に示すように、第１折り線３１に沿うように下向き台形状の片部４１が形成される。次に、第４谷折り線３４を谷折りして、第５側面１５を第４側面１４に重ね合わせる。さらに、第２折り線３２を谷折りして、前記片部４１を切り抜き２３に差し込み、第１側面１１を第３側面１３に重ね合わせて全体を断面Ｌ字形に成形する。これにより、保護パッド１が完成する。完成した保護パッド１の全体斜視図を図１に、また縦断面図を図２に示す。
【００２０】
保護パッド１は、矩形状の第１面パッド５１と、第１面パッド５１の一端から垂直に延設される矩形状の第２面パッド５２を有し、全体として断面Ｌ字形を呈する。図２に示すように、第１面パッド５１では段ボール５０における第１〜第３側面１１〜１３が重なっており、第３側面１３は外側、第１側面１１は中側、第２側面１２は内側にそれぞれ位置している。第２面パッド５２では第４側面１４と第５側面１５が重なっており、第４側面１４が外側、第５側面１５が内側にそれぞれ位置している。
第１面パッド５１と第２面パッド５２により形成された稜部には、２個の略矩形の開口２６が設けられている。開口２６では、第１面パッド５１の外側の第３側面１３からフラップ２６が延設されている。
【００２１】
図３に、開口２６付近における保護パッド１の縦断面図を示す。
開口２６において、第１面パッド５１の内側の第２側面１２は、対象とする冷蔵庫１００の稜部の段差の端に沿うように形成されている。第２面パッド５２の内側の第５側面１５も同様である。また、開口２６では、第１面パッド５１の中側の第１側面１１は内側の第２側面１２よりも、外側の第３側面１３は中側の第２側面１２よりも、前記段差より引けているように形成されている。第２面パッド５２においても同様に、外側の第４側面１４は内側の第５側面１５よりも、前記段差より引けているように形成されている。
【００２２】
次に、保護パッド１を冷蔵庫１００の前面下方の稜部に取り付ける例について、図７及び図８を参照しながら説明する。
まず、第１パッド面５１が下扉１０２ｂに、第２パッド面が本体１０１の底面に当接するように、保護パッド１を該稜部に当てる。このとき、図７に示すように、開口２６において、第１パッド面５１の内側の第２側面１２の端は下扉１０２ｂの下端に沿うとともに、第２パッド面５２の内側の第５側面１５の端は本体１０１の端に沿う。また、第１パッド面５１及び第２パッド面５２において、外側を構成するそれぞれの段ボールの端が内側の段ボールの端よりも稜部から引ける。
【００２３】
図７に示された開口２６の上からプラスチックベルト１０４を掛けて縛ると、図８に示すように、フラップ４２は段差Ｄに向かって押し込まれるとともに、プラスチックベルト１０４は段差Ｄの対角線上に位置する。このとき、フラップ４２により、プラスチックベルト１０４は下扉１０２ｂと接触することがない。
【００２４】
このように、開口２６においてプラスチックベルト１０４が段差Ｄの対角線上に位置するとともに、冷蔵庫１００の段差Ｄとプラスチックベルト１０４の間には１枚のフラップ４２しかない状態となるため、プラスチックベルト１０４が保護パッド１のどの部分にもこれ以上食い込むことがない。従って、プラスチックバンド１０４の緊縛が、図８に示された状態と同じ強さのまま経時的に維持されることになり、搬送作業等の間中、冷蔵庫１００を好適に保護することができる。また、プラスチックベルト１０４は下扉１０２ｂと接触することがないため、下扉１０２ｂに傷等が生じることを防ぐことができる。
【００２５】
以上、保護パッド１を冷蔵庫１００の前面下方の稜部に取り付ける例について説明したが、保護パッドを冷蔵庫１００の上方の稜部に取り付けることもできる。その場合、第１パッド面５１が本体１０１の天面に、第２パッド面５２が冷蔵庫１００の上扉１０２ａに当接するように取り付ける。
【００２６】
本考案は、以下のような変形が可能である。
図９に、本考案の変形例に係る保護パッド１Ａを示す。保護パッド１Ａの第２パッド面５２には、２個の脚部切欠２５が設けられている。これは、対象とする大型箱状の商品がその底面に脚を有していて、該商品の下方の稜部に保護パッド１Ａを取り付ける場合、その脚を挿入するためのものである。このような脚部切欠２５を設けることにより、商品の底面に脚があっても、脚が邪魔にならずに保護パッド１Ａを好適に取り付けることができる。
上記のような保護パッド１Ａを作製するための段ボール５０Ａの展開図を図１０に示す。脚部切欠２５を設けるためには、段ボール５０Ａにおいて第４側面１４及び第１５側面に跨るように、第４折り線３４を挟んで上下対称の形状を有する切り抜き２５を設けるようにすればよい。
【符号の説明】
【００２７】
１、１Ａ…保護パッド
１１…第１側面
１２…第２側面
１３…第３側面
１４…第４側面
１５…第５側面
２１ａ、２１ｂ、２８、２９…切り抜き
２２、２４、２７…切込み
２５…脚部切欠
２６…開口（切り抜き）
３１…第１谷折り線
３２…第２谷折り線
３３…第３谷折り線
３４…第４谷折り線
４１…片部
４２…フラップ
５１…第１面パッド
５２…第２面パッド
１００…冷蔵庫
１０１…本体
１０２ａ…上扉
１０２ｂ…下扉
１０４…プラスチックバンド
Ｄ…段差
【図１】
0003172743.tif 000003
【図２】
0003172743.tif 000004
【図３】
0003172743.tif 000005
【図４】
0003172743.tif 000006
【図５】
0003172743.tif 000007
【図６】
0003172743.tif 000008
【図７】
0003172743.tif 000009
【図８】
0003172743.tif 000010
【図９】
0003172743.tif 000011
【図１０】
0003172743.tif 000012